(57)【要約】【課題】  接続不良を確実の防止できると共に接続不良によって正常な画像形成処理制御ができなくなる尾を防止することができる構成を備えた電装ユニットを提供する。【解決手段】  複数の電装基板１６，１７同士を電気的配線する際に用いられるコネクタ２１，２２を備え、コネクタ２１，２２同士の挿脱により電装基板１６，１７同士の接続解除および再接続を行う構成を備えた電装ユニット２５において、不動状態の支持部材２５Ｂに対して挿脱可能なユニット２５Ｃには、一部がユニット２５Ｃと対面可能で不動状態にある支持部材２５Ａに対する取り付け面２５Ｃ１に取り付け部材２５Ｃ４が設けられ、該取り付け部材２５Ｃ４は、コネクタ同士の嵌合による電気的接続が確保される方向に該ユニット２５Ｃを移動付勢できる位置に設けられて不動状態にある支持部材２５Ａ側の締結部に締結される構成を備えていることを特徴とする。【選択図】      図６
2006259000.tif 000002
【特許請求の範囲】
【請求項１】
複数の電装基板同士を電気的配線する際に用いられるコネクタを備え、コネクタ同士の挿脱により電装基板同士の接続解除および再接続を行う構成を備えた電装ユニットにおいて、
該電装ユニットの設置用不動部に対して着脱可能であって、前記電装基板の一つを搭載した状態で支持可能な第１の支持部材と、
前記第１の支持部材に対して取り付けられて前記電装基板の残りの一部を搭載した状態で支持可能な第２の支持部材とを備え、
前記第２の支持部材には、予め搭載されて固定されている固定側電装基板と、該固定側電装基板に対して前記コネクタを介して挿脱可能に設けられた可動側電装基板とを備え、該可動側電装基板は、前記第２の支持部材に対して挿脱可能に設けられた摺動ユニットにより支持され、該摺動ユニットには、前記第２の支持部材に対して着脱可能な取り付け部が備えられ、該取り付け部には、前記コネクタ同士の嵌合による電気的接続が確保される方向に該摺動ユニットを付勢する取り付け部材が設けられていることを特徴とする電装ユニット。
【請求項２】
請求項１記載の電装ユニットにおいて、
前記摺動ユニットには、前記第２の支持部材に対面する取り付け面が設けられ、該取り付け面には、前記取り付け部材としてのネジ部材が挿通支持されており、該ネジ部材は、前記第２の支持部材側に設けてある締結部に対して前記コネクタ同士の嵌合による電気的接続が確保される位置に前記摺動ユニットが移動した時点で締結を開始できるネジ部の長さを設定されていることを特徴とする電装ユニット。
【請求項３】
請求項１または２記載の電装ユニットにおいて、
前記第２の支持部材には、前記摺動ユニット側に設けられている取り付け部材の挿入方向に沿って窪んだ凹状締結部が設けられていることを特徴とする電装ユニット。
【請求項４】
請求項１乃至３のうちの一つに記載の電装ユニットを備えたことを特徴とする画像形成装置。
【請求項５】
請求項４記載の画像形成装置において、
前記電装ユニットにおける摺動ユニット側に装置の制御を行うコントロールボードが設けられていることを特徴とする画像形成装置。
【発明の詳細な説明】
【技術分野】
【０００１】
本発明は、電装ユニットおよび画像形成装置に関し、さらに詳しくは、電装ユニットの電気的接続構造に関する。
【背景技術】
【０００２】
複写機やプリンタあるいはファクシミリ装置およびこれらの機能を併せ持つ複合機や印刷機等の画像形成装置においては、画像形成処理に用いられる各種電装部品の起動や制御のために電源装置、複合高圧電源さらにはコントロール基板としてのエンジンボードなど、複数の電装基板が用いられている。  
これらの電装基板は、画像形成装置の異常動作が発生した場合にメンテナンスを行われる対象品であるが、装置内での設置スペースやレイアウト上からの制約により異なる位置に配置される場合がある。このため、メンテナンス作業時には画像形成装置内での設置箇所毎で電装基板の着脱操作が行う必要が生じてしまい、作業性が悪いことが多かった。
【０００３】
従来、このような問題を解決するための構成として、各種の電装基板を纏めることにより集約した位置に設け、これら各種電装基板が集約されている箇所に開閉部材を設けることで複数箇所での着脱作業を不要にした構成が提案されている（例えば、特許文献１）。
【０００４】
しかし、各種電装基板とこれら電装基板との間に位置する信号入出力ラインとしてのハーネス（以下、配線という）が必要となることから、集約した位置での着脱作業時には各配線の接続状態を解除しなければならず、この接続状態の解除および再接続がユーザ自身の手に負えるものでないことが多い。
【０００５】
そこで、従来では、電装基板の着脱時における配線ミスなどを防止する目的で、複数の電装基板を画像形成装置に対する一方向に着脱可能なユニットとして構成し、各電装基板を纏めて一方向でアクセスできるようにして複数の基板が一度に着脱可能にすることにより各電装基板毎での配線作業を不要にした構成が提案されている（例えば、特許文献１）。
【０００６】
一方、配線の接続状態解除および再接続のための構成としては、配線端部に設けられたコネクタを用いることが知られている（例えば、特許文献２）。
【０００７】
【特許文献１】特開２００４−８５８８９号公報（段落「０００２」、「０００４」欄）
【特許文献２】特開２００２−１６４６７６号公報（段落「００３０」欄）
【発明の開示】
【発明が解決しようとする課題】
【０００８】
複数の電装基板の着脱時に発生する配線の接続状態解除および再接続に係る手間を簡略化するために各配線毎に接続が可能なコネクタを用いることで着脱に際しての配線に関する問題が解消される一方、コネクタは互いに嵌合可能なプラグ端子とジャック端子とを備えている構成であることから、嵌合状態が正常でないと、適正な電気的な接続状態が得られない。つまり、プラグ端子とジャック端子とがその嵌合方向での中心線が一致しないで傾いたりしていると、嵌合させた場合に十分な嵌合状態、換言すれば、接続に必要な端子同士の接触状態が得られていないと接続不良を生じる虞がある。そこで、特許文献２には、コネクタの差し込み時での傾きを抑えるための構成として、電装基板にガイド部材を設けることが提案されている。
【０００９】
しかし、特許文献２に開示されているような構成においては、電装基板の傾きを抑えることにより嵌合方向での中心線を一致させることが可能であるものの、接続不良を発生させないための嵌合状態が得られているかどうかを判別することはできず、これによって、嵌合が十分でないと接続に必要な端子同士の接触状態を確保できずに接続不良が解消されないままとなる虞がある。
【００１０】
本発明の目的は、上記従来の電装ユニットにおける問題に鑑み、接続不良を確実の防止できると共に接続不良によって正常な画像形成処理制御ができなくなる尾を防止することができる構成を備えた電装ユニットおよび画像形成装置を提供することにある。
【課題を解決するための手段】
【００１１】
請求項１記載の発明は、複数の電装基板同士を電気的配線する際に用いられるコネクタを備え、コネクタ同士の挿脱により電装基板同士の接続解除および再接続を行う構成を備えた電装ユニットにおいて、該電装ユニットの設置用不動部に対して着脱可能であって、前記電装基板の一つを搭載した状態で支持可能な第１の支持部材と、前記第１の支持部材に対して取り付けられて前記電装基板の残りの一部を搭載した状態で支持可能な第２の支持部材とを備え、前記第２の支持部材には、予め搭載されて固定されている固定側電装基板と、該固定側電装基板に対して前記コネクタを介して挿脱可能に設けられた可動側電装基板とを備え、該可動側電装基板は、前記第２の支持部材に対して挿脱可能に設けられた摺動ユニットにより支持され、該摺動ユニットには、前記第２の支持部材に対して着脱可能な取り付け部が備えられ、該取り付け部には、前記コネクタ同士の嵌合による電気的接続が確保される方向に該摺動ユニットを付勢する取り付け部材が設けられていることを特徴としている。
【００１２】
請求項２記載の発明は、請求項１記載の電装ユニットにおいて、前記摺動ユニットには、前記第２の支持部材に対面する取り付け面が設けられ、該取り付け面には、前記取り付け部材としてのネジ部材が挿通支持されており、該ネジ部材は、前記第２の支持部材側に設けてある締結部に対して前記コネクタ同士の嵌合による電気的接続が確保される位置に前記摺動ユニットが移動した時点で締結を開始できるネジ部の長さを設定されていることを特徴としている。
【００１３】
請求項３記載の発明は、請求項１または２記載の電装ユニットにおいて、前記第２の支持部材には、前記摺動ユニット側に設けられている取り付け部材の挿入方向に沿って窪んだ凹状締結部が設けられていることを特徴としている。
【００１４】
請求項４記載の発明は、請求項１乃至３のうちの一つに記載の電装ユニットを画像形成装置に備えたことを特徴とする画像形成装置。
【００１５】
請求項５記載の発明は、請求項４記載の画像形成装置において、前記電装ユニットにおける摺動ユニット側に装置の制御を行うコントロールボードが設けられていることを特徴としている。
【発明の効果】
【００１６】
本発明によれば、摺動ユニット側に設けられている可動側電装基板と第２の支持部材側に位置する固定側電装基板とのコネクタ同士の嵌合による電気的接続が確保できる方向に該摺動ユニットが取り付け部材により付勢されるので、コネクタ同士の接触が確実に行えることになる。これによりコネクタ同士の接触不良を防止して電気的接続が不完全となるのを防ぐことが可能となる。
【００１７】
特に請求項２記載の発明においては、取り付け部材としてのネジ部材が第２の支持部材に設けてある締結部に対してコネクタ同士の嵌合による電気的接続が確保される位置に摺動ユニットが移動した時点で初めて締結を開始できるネジ部の長さを設定されていることにより、コネクタ同士の電気的接続が不完全な場合に締結不能となることをコネクタ同士の不完全接続状態として判断することができるの。これにより、配線知識がないユーザがメンテナンス作業を行った場合でも、確実な再接続状態を得ることが可能となる。
【００１８】
また請求項３記載の発明においては、第２の支持部材側に設けてある締結部の構成として、ネジ部材の挿入方向に窪んだ凹状締結部が設けられているので、摺動ユニットの取り付け部と第２の支持部材との対向面同士の間隔を強制的に狭める方向に移動する操作が必要となることでコネクタ同士が必然的に勘合しやすくなり接続不良が解消されることになる。
【００１９】
請求項４および５記載の発明においては、配線同士の接続不良をなくして制御不能の発生を防止できると共に、メンテナンス作業が必要となる基板を挿脱できる摺動ユニット側に設けることで装置内部でのメンテナンス作業を不要にして作業性を向上させることができる。
【発明を実施するための最良の形態】
【００２０】
以下、図示実施例に基づき本発明を実施するための清涼の形態について説明する。
【実施例】
【００２１】
図１は、画像形成装置としてのカラープリンターの内部概略構成を示す。  
カラープリンターは、装置本体２０の下部に記録材として用紙３を収納する給紙部となる給紙カセット２が配設されている。  
給紙カセット２内の用紙３は、給紙カセット２の近傍に配設された給紙コロ４によって装置本体２０内に搬送される。  
装置本体２０内には、書き込みユニット１と、このユニット１内でイエロー、シアン、マゼンタおよび黒の各色成分ごとに色分解されたレーザー光がそれぞれ照射される像担持体としてのドラム状の感光体６０Ｂ，６０Ｃ，６０Ｍ，６０Ｙを備えたトナー作像カートリッジ６Ｂ，６Ｃ，６Ｍ，６Ｙと、各作像カートリッジにより形成されたトナー画像が２次転写される中間転写体を構成する中間転写ベルト７と、中間転写ベルト７に転写されたトナー画像を用紙３に転写する転写部８と、転写されたトナー画像を用紙３に定着する定着部９と、定着された用紙３を装置本体２０の外部に搬送する排出コロ１０とを備えている。  
転写部８は、中間転写ベルト７と、このベルトに対向配置された転写部材としての転写ローラ８Ａとで構成されている。
【００２２】
上述した構成を有するカラープリンタにおいては、書き込みユニット１からのレーザー光が各感光体に照射されると、各感光体上に潜像が形成される。  
これらの静電潜像は、各感光体に隣接して配置された図示しない現像装置により顕像化され、中間転写ベルト７上に一次転写される。
【００２３】
給紙ローラ４によって装置本体２０内に搬送される用紙３は、転写部８の手前に設けられたレジストローラ対５によって送り出しタイミングが計られて搬送され、転写部８において中間転写ベルト７上に形成された１次トナー画像を２次転写される。
【００２４】
トナー画像が転写された用紙３は、定着部９を通過することで画像定着が行われ、装置本体２０の上部に形成された排紙部１１に排出コロ１０によって排出される。
【００２５】
本実施例において、排紙部１１の下方には、作像カートリッジ６Ｙ，６Ｍ，６Ｃ，６Ｂへ各色のトナーを供給するためのトナーボトル１２Ｙ，１２Ｍ，１２Ｃ，１２Ｂが配設されている。  
各トナーボトル、中間転写ベルト７、各作像カートリッジは、装置本体２０に対して同一方向に傾斜して配設されていて、装置本体２０の背面２０Ａ側に余剰空間を形成している。本形態においては、書き込みユニット１も同様に傾斜して配設されていて、給紙カセット２との間に余剰空間を形成している。
【００２６】
カラープリンターは、上記の余剰空間に電装ユニット２５を備えている。  
図２および図３は電装ユニット２５の構成を示す図であり、図３に示すように、電装ユニット２５は、カラープリンターの背面が相当する設置用支持部としての不動部に対して装着されることにより一体的に支持され、また、一体化を解除されることで外部に引き出すことができる着脱可能なユニットである。
【００２７】
図２において電装ユニット２５には、カラープリンターの背面に対して着脱可能であって、電装基板の一つである電源装置（以下、ＰＳＵという）１４および複合高圧電源（以下、ＨＶＰという）の一つ１５Ａを搭載した状態で支持可能な第１の支持部材２５Ａと、第１の支持部材２５Ａに取り付けられて電装基板の残りの一部である複合高圧電源（以下、ＨＶＰという）１５Ｂおよびエンジンボード（以下、ＢＣＵという）１６を搭載した状態で支持可能な第２の支持部材２５Ｂとを備え、さらに、第２の支持部材２５Ｂには、予め搭載されて固定されている固定側電装基板としての複合高圧電源（ＨＶＰ）１５Ｂに設けられているコネクタ２１に対して挿脱可能なコネクタ２２を備えたコントロールボード１７を備えて第２の支持部材２５Ｂに対して着脱可能に設けられている摺動ユニットとしてのコントロールユニット２５Ｃとを備えている。これにより、メンテナンス率の高いこのトロールボードがカラープリンター内の第２の支持部材２５Ｂに対して挿脱できるので、カラープリンター内でのメンテナンス作業を要することがなくなり、メンテナンスの作業性を向上させるようになっている。
【００２８】
コントロールユニット２５Ｃには、図２に示すように、第１の支持部材２５Ａに対面する取り付け部としての取り付けパネル２５Ｃ１が設けられており、第１の支持部材２５Ａに対して取り付けネジ２６の締結により一体化され、また締結解除により第１の支持部材２５Ａから取り外されてカラープリンターから引き出せるようになっている。コントロールユニット２５Ｃの挿脱のために、取り付けパネル２５Ｃ１には、その幅方向両側に把手２５Ｃ２が設けられている。
【００２９】
図４は、コントロールユニット２５Ｃを第２の支持部材２５Ｂから引き出して取り除いた状態を示す図であり、同図において、第１の支持部材２５Ａは、断面Ｌ字状に折り曲げられた板金部材で構成されており、その立ち上がり片部には電源装置（ＰＳＵ）１４を支持するための切り起こし片からなる支持台部２５Ａ１および後述するコントロールユニット２５Ｃ側に有する取り付け部材であるネジ部材２５Ｃ４の締結部２５Ａ２が設けられ、そして底面部２５Ａ３が第２の支持部材２５Ｂ側に設けてある受け部２５Ｂ１に載置された状態で締結により一体的に取り付けられるようになっている。
【００３０】
第２の支持部材２５Ｂは、コントロールユニット２５Ｃの挿脱方向（図３において矢印ＦＲで示す方向）に対して水平面で直角な方向に相当する幅方向両側が上方に向けて折り返された有底箱形状をなし、幅方向両側には第１の支持部材２５Ａの底面部を搭載可能な受け部２５Ｂ１が設けられている。
【００３１】
第２の支持部材２５Ｂには、受け部２５Ｂ１とこれに搭載されている第１の支持部材２５Ａ側の底面部とで囲まれた空間が構成されており、この空間がコントロールユニット２５Ｃの収容空間とされている。
【００３２】
コントロールユニット２５Ｃは、図５に示すように、コントロールボード１７を載置した状態で取り付け可能な底面を備えた有底箱形状のユニットであり、第２の支持部材２５に対する挿脱方向（図示矢印方向）に対して水平方向で直角な方向である幅方向両側にはブラケット２５Ｃ３が形成され、ブラケット２５Ｃ３の長手方向一方端側には取り付けパネル２５Ｃ１がネジ２７により締結されて取り付けられている。
【００３３】
取り付けパネル２５Ｃ１には、本実施例の特徴となる構成として、第１の支持部材２５Ａ側に設けられている締結部２５Ａに締結される取り付け部材であるネジ部材２５Ａ４が挿嵌されている。  
ネジ部材２５Ｃ４は、図６に示すように、取り付けパネル２５Ｃ１における下部、つまり、コントロールボード１７が載置されている底面側を基準として、コネクタ２１，２２が互いに嵌合することにより電気的接続状態を確保される方向にコントロールユニット２５Ｃを付勢することができる距離Ｌの位置に設けられている。  
距離Ｌの位置は、コネクタ同士が接続される位置であるコントロールユニット２５Ｃの底面側を支点とした作用点に相当し、この作用点において締結量が増加することに伴いコントロールユニット２５Ｃの底面部側を、コネクタ同士の嵌合量が増加する方向に移動させる傾向が得られるようになっている。これにより、コネクタ同士の嵌合量が少なく、接続を確保できない嵌合状態であっても、ネジ部材２５Ｃ４を締結するに伴い締結量が増加するのに応じて取り付けパネル２５Ｃ１がコネクタ同士の嵌合量が増加する方向に移動付勢こととなり、ここに、コネクタ同士が電気的接続を確保できる嵌合状態とされることになる。つまり、ネジ部材２５Ｃ４の締結量の増加に伴って取り付けパネル２５Ｃ１の底面側がコネクタ同士の嵌合量が増加する方向に引きずられてコネクタ同士の嵌合量が増加するようになる。  
本実施例では、取り付けパネル２５Ｃ１がこれに対面する第１の支持部材２５Ａの表面との間の間隔が符号ａで示す距離となった場合に第１の支持部材２５Ａ側の締結部２５Ａ２に対してネジ部材２５Ｃ４の締結が開始できるようになっている。
【００３４】
一方、ネジ部材２５Ｃ４は、取り付けパネル２５Ｃ１の移動付勢した際にコネクタ同士の嵌合が確実に電気的接続できる状態が得られるようにするために、ネジ部の長さとして、コネクタ同士の嵌合による電気的接続が確保できる位置にコントロールユニット２５Ｃが移動した時点で第１の支持部材２５Ａ側の締結部２５Ａ２に対する締結操作ができる長さとされている。  
これにより、取り付けパネル２５Ｃ１を第１の支持部材２５Ａに締結するには、ネジ部材２５Ｃ４が第１の支持部材２５Ａ側の締結部２５Ａ２に対して締結できる位置まで、換言すれば、図７（Ａ）における符号ｂで示した位置がコネクタ同士の嵌合が行えない状態の位置であるとすると、この位置からコントロールユニット２５Ｃを押し込むことになり、この押し込んだ位置、換言すれば締結ができる位置がコネクタ同士の電気的接続が確保できた状態とされるので、コネクタ同士の接続不良が完全になくされた状態で取り付けパネル２５Ｃが第１の支持部材２５Ａに一体化されることになる。
【００３５】
上述したように、コネクタ同士の電気的接続が確保された時点でネジ部材２５Ｃ４の締結を開始できるようにする構成として、ネジ部材２５Ｃ４の長さを規定することに加えて、図７（Ｂ）に示すように、第１の支持部材２５Ａ側に設けてある締結部２５Ａ２を、ネジ部材２５Ｃ４の挿入方向に沿って窪ませた凹状部（図７（Ｂ）において符号ｔで示す深さを持つ）とし、締結完了時には取り付けパネル２５Ｃ１が第１の支持部材２５Ａの表面に密着できるようにされている。
【００３６】
図８は、コネクタ同士の嵌合による電気的接続が確保されている状態を示しており、この状態では、取り付けパネル２５Ｃ１が第１の支持部材２５Ａの表面に密着している。
【００３７】
本実施例は以上のような構成であるから、第２の支持部材２５Ｂ内にコントロールユニット２５Ｃが挿入された際に、コネクタ同士の嵌合が不十分で電気的接続が不完全な状態にあるときには、ネジ部材２５Ｃ４を用いた取り付けパネル２５Ｃ１の締結ができない。従って、例えば、ユーザ自身がコントロールユニット２５Ｃの挿脱作業を行い、再度、第２の支持部材２５Ｂ内にコントロールユニット２５Ｃを挿入する作業を行った場合でも、締結ができる位置までコントロールユニット２５Ｃを押し込むことが必要なことを認識できる。
【００３８】
一方、締結作業が行える場合には、ネジ部材２５Ｃ４の配置位置構造により取り付けパネル２５Ｃ１がコネクタ同士の嵌合による電気的接続を確保できる方向にコントロールユニット２５Ｃを移動付勢することになり、これによって、コネクタ同士での接続を完全なものとすることができる。
【図面の簡単な説明】
【００３９】
【図１】本発明実施例による電装ユニットを適用した画像形成装置の一例を示す模式図である。
【図２】電装ユニットの構成を示す斜視図である。
【図３】図２に閉示した電装ユニットが装填されている状態の画像形成装置の背面図である。
【図４】図２に示した電装ユニットにおいて摺動ユニットに相当するコントロールユニットを除いた状態を示す斜視図である。
【図５】摺動ユニットに相当する紺のトロールユニットの構成を示す斜視図である。
【図６】本実施例による電装ユニットの作用に関する一態様を説明するための部分図である。
【図７】本実施例による電装ユニットの作用に関する別の態様を説明するための部分図であり、（Ａ）は、要部を示し、（Ｂ）は、（Ａ）中、符号（Ｂ）で示す部分の拡大図である。
【図８】本実施例による電装ユニットにおけるコネクタの接続完了状態を示す側面図である。
【符号の説明】
【００４０】
１４〜１６  電装基板
１７  コントロールボード
２０  画像形成装置の装置本体
２１，２２  コネクタ
２５  電装ユニット
２５Ａ  第１の支持部材
２５Ａ２  締結部
２５Ｂ  第２の支持部材
２５Ｃ  第３の支持部材に相当するコントロールユニット
２５Ｃ１  取り付け部に相当する取り付けパネル
２５Ｃ２  把手
２５Ｃ４  取り付け部材に相当するネジ部材
【図１】
2006259000.tif 000003
【図２】
2006259000.tif 000004
【図３】
2006259000.tif 000005
【図４】
2006259000.tif 000006
【図５】
2006259000.tif 000007
【図６】
2006259000.tif 000008
【図７】
2006259000.tif 000009
【図８】
2006259000.tif 000010
【手続補正書】
【提出日】平成18年5月15日(2006.5.15)
【手続補正１】
【補正対象書類名】明細書
【補正対象項目名】００２０
【補正方法】変更
【補正の内容】
【００２０】
以下、図示実施例に基づき本発明を実施するための最良の形態について説明する。
【手続補正２】
【補正対象書類名】明細書
【補正対象項目名】００２１
【補正方法】変更
【補正の内容】
【００２１】
図１は、画像形成装置としてのカラープリンターの内部概略構成を示す。
カラープリンターは、装置本体２０の下部に記録材として用紙３を収納する給紙部となる給紙カセット２が配設されている。
給紙カセット２内の用紙３は、給紙カセット２の近傍に配設された給紙コロ４によって装置本体２０内に搬送される。
装置本体２０内には、書き込みユニット１と、このユニット１内でイエロー、シアン、マゼンタおよび黒の各色成分に色分解されたレーザー光がそれぞれ照射される像担持体としてのドラム状の感光体６０Ｂ，６０Ｃ，６０Ｍ，６０Ｙを備えたトナー作像カートリッジ６Ｂ，６Ｃ，６Ｍ，６Ｙと、各作像カートリッジにより形成されたトナー画像が１次転写される中間転写体を構成する中間転写ベルト７と、中間転写ベルト７に転写されたトナー画像を用紙３に転写する転写部８と、転写されたトナー画像を用紙３に定着する定着部９と、定着された用紙３を装置本体２０の外部に搬送する排出コロ１０とを備えている。
転写部８は、中間転写ベルト７と、このベルトに対向配置された転写部材としての転写ローラ８Ａとで構成されている。
【手続補正３】
【補正対象書類名】明細書
【補正対象項目名】００２２
【補正方法】変更
【補正の内容】
【００２２】
上述した構成を有するカラープリンターにおいては、書き込みユニット１からのレーザー光が各感光体に照射されると、各感光体上に潜像が形成される。  
これらの静電潜像は、各感光体に隣接して配置された図示しない現像装置により顕像化され、中間転写ベルト７上に１次転写される。
【手続補正４】
【補正対象書類名】明細書
【補正対象項目名】００２３
【補正方法】変更
【補正の内容】
【００２３】
給紙コロ４によって装置本体２０内に搬送される用紙３は、転写部８の手前に設けられたレジストローラ対５によって送り出しタイミングが計られて搬送され、転写部８において中間転写ベルト７上に形成された１次トナー画像を２次転写される。
【手続補正５】
【補正対象書類名】明細書
【補正対象項目名】００２７
【補正方法】変更
【補正の内容】
【００２７】
図２において電装ユニット２５には、カラープリンターの背面に対して着脱可能であって、電装基板の一つである電源装置（以下、ＰＳＵという）１４および複合高圧電源（以下、ＨＶＰという）の一つ１５Ａを搭載した状態で支持可能な第１の支持部材２５Ａと、第１の支持部材２５Ａに取り付けられて電装基板の残りの一部である複合高圧電源（以下、ＨＶＰという）１５Ｂおよびエンジンボード（以下、ＢＣＵという）１６を搭載した状態で支持可能な第２の支持部材２５Ｂとを備え、さらに、第２の支持部材２５Ｂには、予め搭載されて固定されている固定側電装基板としての複合高圧電源（ＨＶＰ）１５Ｂに設けられているコネクタ２１に対して挿脱可能なコネクタ２２を備えたコントロールボード１７を備えて第２の支持部材２５Ｂに対して着脱可能に設けられている摺動ユニットとしてのコントロールユニット２５Ｃ（図２においては、便宜上、コントロールユニット２５Ｃの符号が摺動部分に付してある）とを備えている。これにより、メンテナンス率の高いコントロールボードがカラープリンター内の第２の支持部材２５Ｂに対して挿脱できるので、カラープリンター内でのメンテナンス作業を要することがなくなり、メンテナンスの作業性を向上させるようになっている。
【手続補正６】
【補正対象書類名】明細書
【補正対象項目名】００２８
【補正方法】変更
【補正の内容】
【００２８】
コントロールユニット２５Ｃには、図３に示すように、第１の支持部材２５Ａに対面する取り付け部としての取り付けパネル２５Ｃ１が設けられており、取り付けパネル２５Ｃ１は、第１の支持部材２５Ａに対して取り付けネジ２６の締結により一体化され、また締結解除により第１の支持部材２５Ａから取り外されてカラープリンターから引き出せるようになっている。コントロールユニット２５Ｃの挿脱のために、取り付けパネル２５Ｃ１には、その幅方向両側に把手２５Ｃ２が設けられている。
【手続補正７】
【補正対象書類名】明細書
【補正対象項目名】００３２
【補正方法】変更
【補正の内容】
【００３２】
コントロールユニット２５Ｃは、図５に示すように、コントロールボード１７を載置した状態で取り付け可能な底面を備えた有底箱形状のユニットであり、第２の支持部材２５Ｂに対する挿脱方向（図示矢印方向）に対して水平方向で直角な方向である幅方向両側にはブラケット２５Ｃ３が形成され、ブラケット２５Ｃ３の長手方向一方端側には取り付けパネル２５Ｃ１がネジ２７により締結されて取り付けられている。
【手続補正８】
【補正対象書類名】明細書
【補正対象項目名】００３３
【補正方法】変更
【補正の内容】
【００３３】
取り付けパネル２５Ｃ１には、本実施例の特徴となる構成として、第１の支持部材２５Ａ側に設けられている締結部２５Ａに締結される取り付け部材であるネジ部材２５Ｃ４が挿嵌されている。
ネジ部材２５Ｃ４は、図６に示すように、取り付けパネル２５Ｃ１における下部、つまり、コントロールボード１７が載置されている底面側を基準として、コネクタ２１，２２（図２参照）が互いに嵌合することにより電気的接続状態を確保される方向にコントロールユニット２５Ｃを付勢することができる距離Ｌの位置に設けられている。
距離Ｌの位置は、コネクタ同士が接続される位置であるコントロールユニット２５Ｃの底面側を支点とした作用点に相当し、この作用点において締結量が増加することに伴いコントロールユニット２５Ｃの底面部側を、コネクタ同士の嵌合量が増加する方向に移動させる傾向が得られるようになっている。これにより、コネクタ同士の嵌合量が少なく、接続を確保できない嵌合状態であっても、ネジ部材２５Ｃ４を締結するに伴い締結量が増加するのに応じて取り付けパネル２５Ｃ１がコネクタ同士の嵌合量が増加する方向に移動付勢されることとなり、ここに、コネクタ同士が電気的接続を確保できる嵌合状態とされることになる。つまり、ネジ部材２５Ｃ４の締結量の増加に伴って取り付けパネル２５Ｃ１の底面側がコネクタ同士の嵌合量が増加する方向に引きずられてコネクタ同士の嵌合量が増加するようになる。
本実施例では、取り付けパネル２５Ｃ１がこれに対面する第１の支持部材２５Ａの表面との間の間隔が符号ａで示す距離となった場合に第１の支持部材２５Ａ側の締結部２５Ａ２に対してネジ部材２５Ｃ４の締結が開始できるようになっている。
【手続補正９】
【補正対象書類名】明細書
【補正対象項目名】００３４
【補正方法】変更
【補正の内容】
【００３４】
一方、ネジ部材２５Ｃ４は、取り付けパネル２５Ｃ１の移動付勢した際にコネクタ同士の嵌合が確実に電気的接続できる状態が得られるようにするために、ネジ部の長さとして、コネクタ同士の嵌合による電気的接続が確保できる位置にコントロールユニット２５Ｃが移動した時点で第１の支持部材２５Ａ側の締結部２５Ａ２に対する締結操作が開始できる長さとされている。
これにより、取り付けパネル２５Ｃ１を第１の支持部材２５Ａに締結するには、ネジ部材２５Ｃ４が第１の支持部材２５Ａ側の締結部２５Ａ２に対して締結できる位置まで、換言すれば、図７（Ａ）における符号ｂで示した位置がコネクタ同士の嵌合が行えない状態の位置であるとすると、この位置からコントロールユニット２５Ｃを押し込むことになり、この押し込んだ位置、換言すれば締結ができる位置がコネクタ同士の電気的接続が確保できた状態とされるので、コネクタ同士の接続不良が完全になくされた状態で取り付けパネル２５Ｃが第１の支持部材２５Ａに一体化されることになる。
【手続補正１０】
【補正対象書類名】明細書
【補正対象項目名】００３９
【補正方法】変更
【補正の内容】
【００３９】
【図１】本発明実施例による電装ユニットを適用した画像形成装置の一例を示す模式図である。
【図２】電装ユニットの構成を示す斜視図である。
【図３】図２に閉示した電装ユニットが装填されている状態の画像形成装置の背面図である。
【図４】図２に示した電装ユニットにおいて摺動ユニットに相当するコントロールユニットを除いた状態を示す斜視図である。
【図５】摺動ユニットに相当するコントロールユニットの構成を示す斜視図である。
【図６】本実施例による電装ユニットの作用に関する一態様を説明するための部分図である。
【図７】本実施例による電装ユニットの作用に関する別の態様を説明するための部分図であり、（Ａ）は、要部を示し、（Ｂ）は、（Ａ）中、符号（Ｂ）で示す部分の拡大図である。
【図８】本実施例による電装ユニットにおけるコネクタの接続完了状態を示す側面図である。
【手続補正１１】
【補正対象書類名】図面
【補正対象項目名】図１
【補正方法】変更
【補正の内容】
【図１】
2006259000.tif 000011